(57)【要約】【課題】  ダイレクトプリントシステムにおいては、プリンタ内で非力なＣＰＵで画像処理を行うため、ＣＭＳ等の複雑な処理を行う場合には変換に多くの時間を要するという問題があった。また、ＣＭＳは画像データとその画像データ特性を受けた装置が補正する仕組みのため、撮像装置側で意図した最終プリント結果とならない場合があった。【解決手段】  撮影して得られた画像データをフォーマット変換して画像フォーマットデータとして記録媒体に記録する撮像装置において、前記撮像装置は、画像フォーマットデータを記録可能な取り外し可能な記憶媒体を有し、前記記憶媒体に記録する画像フォーマットデータ内に前記基準データへと変換するための基準データ変換情報を保持する事を特徴とする撮像装置。【選択図】  図１
2007208913.tif 000002
【特許請求の範囲】
【請求項１】
撮影した画像データを記憶媒体に記録する記録手段と、
画像データを基準画像データへ変換するための基準データ変換情報を取得する変換情報取得手段とを有し、
前記記録手段は、前記画像データと前記変換情報取得手段によって取得した前記基準データ変換情報とを前記記憶媒体へ記録することを特徴とするデジタルカメラ。
【請求項２】
前記記録手段は、前記画像データの付属情報として前記画像データが記録される画像データファイル内に該画像データの基準データ変換情報を記録することを特徴とする請求項１に記載のデジタルカメラ。
【請求項３】
前記基準データ変換情報は、色変換のマトリクス演算を行うための係数であることを特徴とする請求項１または２に記載のデジタルカメラ。
【請求項４】
前記基準データ変換情報は、カンマ変換を行うための演算係数、または、カンマ変換を行うための１次元ルックアップテーブルであることを特徴とする請求項１または２に記載のデジタルカメラ。
【請求項５】
前記基準データ変換情報は、色変換を行うための３次元ルックアップテーブルであることを特徴とする請求項１または２に記載のデジタルカメラ。
【請求項６】
画像データの印刷を行うプリンタであって、
画像データと該画像データを基準画像データに変換するための基準データ変換情報とが記録されている画像データファイルを取得するための取得手段と、
取得した画像データを基準画像データに変換する基準データ変換処理手段と、
基準画像データをプリントデータに変換しプリントするプリント手段とを有し、
前記基準データ変換処理手段は、前記画像データファイルに記録されている基準データ変換情報に基づいて、前記画像データの変換を行うことを特徴とするプリンタ。
【請求項７】
前記基準データ変換情報は、色変換のマトリクス演算を行うための係数であることを特徴とする請求項6に記載のプリンタ。
【請求項８】
前記基準データ変換情報は、カンマ変換を行うための演算係数、または、カンマ変換を行うための１次元ルックアップテーブルであることを特徴とする請求項6に記載のプリンタ。
【請求項９】
前記基準データ変換情報は、色変換を行うための３次元ルックアップテーブルであることを特徴とする請求項6に記載のプリンタ。
【請求項１０】
撮影した画像データを記憶媒体に記録する記録工程と、
画像データを基準画像データへ変換するための基準データ変換情報を取得する変換情報取得工程とを有し、
前記記録工程は、前記変換情報取得工程によって取得した基準データ変換情報を前記画像データと共に前記記憶媒体へ記録することを特徴とするデジタルカメラの制御方法。
【請求項１１】
画像データと該画像データを基準画像データに変換するための基準データ変換情報とが記録されている画像データファイルを取得するための取得工程と、
取得した画像データを基準画像データに変換する基準データ変換処理工程と、
基準画像データをプリントデータに変換しプリントするプリント工程とを有し、
前記基準データ変換処理工程は、前記画像データファイルに記録されている基準データ変換情報に基づいて、前記画像データの変換を行うことを特徴とするプリンタの制御方法。
【発明の詳細な説明】
【技術分野】
【０００１】
撮像装置、印刷装置、及び撮像装置と印刷装置を組み合わせたプリントシステムの画像処理に関する。
【背景技術】
【０００２】
デジタルカメラとプリンタをパソコンを介することなく、ダイレクトに接続し簡単にデジタルカメラの画像データをプリントするダイレクトプリントシステムが開発されている（特許文献１）。このダイレクトプリントシステムは簡単に画像データをプリントすることができる反面、画像処理をプリンタ本体内で行う必要があるため、演算時間の必要となる複雑な処理ができず、どのようなデジタルカメラで撮影された画像も同じ色変換処理及び、エッジ強調処理を実行するため、必ずしもユーザーの思い通りのプリントが得られるとは限らなかった。例えば、一眼系デジタルカメラの素材重視系の画像データを出力した場合と、レンズシャッター式小型デジタルカメラの絵作りされた画像データを出力した場合では、同じプリンタのパラメータで出力した場合には、一眼系デジタルカメラのプリントは素材重視の絵作りを行っているため、エッジ強調がそれほど強く処理されておらず、エッジの切れが甘く、ローコントラストなプリントが出力されてしまう。
【特許文献１】特開２００４−９３８８号公報
【発明の開示】
【発明が解決しようとする課題】
【０００３】
上記のような画像データの素性の違いを吸収するための仕組みとして、カラーマネージメントシステム（以下ＣＭＳと表記する）が考案されているが、このシステムは画像データの特性データを記述したもので、画像データを基準色空間のデータに変換するためには、特性データから基準データへと変化するための変換式を求めて、求めた変換式を用いて画像データを基準データへと変換する処理を行う必要がある。しかしながら、ダイレクトプリントシステムにおいては、プリンタ内で非力なＣＰＵで画像処理を行うため、ＣＭＳ等の複雑な処理を行う場合には変換に多くの時間を要するという問題があった。また、ＣＭＳは画像データとその画像データ特性を受けた装置が補正する仕組みのため、撮像装置側で意図した最終プリント結果とならない場合があった。
【課題を解決するための手段】
【０００４】
このような課題を解決するために、本発明のデジタルカメラは次のような構成を備える。
【０００５】
撮影した画像データを記憶媒体に記録する記録手段と、
画像データを基準画像データへ変換するための基準データ変換情報を取得する変換情報取得手段とを有し、
前記記録手段は、前記画像データと前記変換情報取得手段によって取得した前記基準データ変換情報とを前記記憶媒体へ記録することを特徴とする。
【０００６】
このような課題を解決するために、本発明のプリンタは次のような構成を備える。
【０００７】
画像データの印刷を行うプリンタであって、
画像データと該画像データを基準画像データに変換するための基準データ変換情報とが記録されている画像データファイルを取得するための取得手段と、
取得した画像データを基準画像データに変換する基準データ変換処理手段と、
基準画像データをプリントデータに変換しプリントするプリント手段とを有し、
前記基準データ変換処理手段は、前記画像データファイルに記録されている基準データ変換情報に基づいて、前記画像データの変換を行うことを特徴とする。
【発明の効果】
【０００８】
本発明によると一眼系デジタルカメラで撮影した画像データも、レンズシャッター系デジタルカメラのように絵作りした基準画像データに変換されてからプリントされるため、撮影されるカメラに影響されず常に同様な絵作りがされたプリントが得られる。また、ＣＭＳのような複雑な演算をすることなく、プリンタにて画像処理を行うことが可能なため、トータルの印刷時間を短縮することが可能となる。また、本発明によれば、レンズシャッター系デジタルカメラで撮影したデータには基準データ変換情報をつけなければ、基準データ変換処理を行わないため、高速にプリント出力を得ることが可能となる。
【発明を実施するための最良の形態】
【０００９】
（実施例１）
本発明の第１の実施例である撮像装置を以下に説明する。
【００１０】
以下、図面を参照して本発明の実施例を説明する。
【００１１】
図３は、本発明の実施例の構成を示す図である。
【００１２】
図３において、１００は画像処理装置である。
【００１３】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１４】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１５】
２０は画像処理回路であり、Ａ／Ｄ変換器１６からのデータ或いはメモリ制御回路２２からのデータに対して所定の画素補間処理や色変換処理を行う。
【００１６】
また、画像処理回路２０においては、撮像した画像データを用いて所定の演算処理を行い、得られた演算結果に基づいてシステム制御回路５０が露光制御手段４０、測距制御手段４２に対して制御を行う、TTL（スルー・ザ・レンズ）方式のAF（オートフォーカス）処理、AE（自動露出）処理、ＥＦ（フラッシュプリ発光）処理を行っている。
【００１７】
さらに、画像処理回路２０においては、撮像した画像データを用いて所定の演算処理を行い、得られた演算結果に基づいてTTL方式のAWB（オートホワイトバランス）処理も行っている。
【００１８】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１９】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２０】
２４は画像表示メモリ、２６はＤ／Ａ変換器、２８はTFT LCD等から成る画像表示部であり、画像表示メモリ２４に書き込まれた表示用の画像データはＤ／Ａ変換器２６を介して画像表示部２８により表示される。
【００２１】
画像表示部２８を用いて撮像した画像データを逐次表示すれば、電子ファインダー機能を実現することが可能である。
【００２２】
また、画像表示部２８は、システム制御回路５０の指示により任意に表示をON/OFFすることが可能であり、表示をOFFにした場合には画像処理装置１００の電力消費を大幅に低減することが出来る。
【００２３】
３０は撮影した静止画像や動画像を格納するためのメモリであり、所定枚数の静止画像や所定時間の動画像を格納するのに十分な記憶量を備えている。
【００２４】
これにより、複数枚の静止画像を連続して撮影する連射撮影やパノラマ撮影の場合にも、高速かつ大量の画像書き込みをメモリ３０に対して行うことが可能となる。
【００２５】
また、メモリ３０はシステム制御回路５０の作業領域としても使用することが可能である。
【００２６】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２７】
４０は絞り機能を備えるシャッター１２を制御する露光制御手段であり、フラッシュ４８と連携することによりフラッシュ調光機能も有するものである。
【００２８】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００２９】
４８はフラッシュであり、AF補助光の投光機能、フラッシュ調光機能も有する。
【００３０】
露光制御手段４０、測距制御手段４２はTTL方式を用いて制御されており、撮像した画像データを画像処理回路２０によって演算した演算結果に基づき、システム制御回路５０が露光制御手段４０、測距制御手段４２に対して制御を行う。
【００３１】
５０は画像処理装置１００全体を制御するシステム制御回路、５２はシステム制御回路５０の動作用の定数、変数、プログラム等を記憶するメモリである。
【００３２】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばLCDやLED、発音素子等の組み合わせにより構成されている。
【００３３】
また、表示部５４は、その一部の機能が光学ファインダー１０４内に設置されている。
【００３４】
表示部５４の表示内容のうち、LCD等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信I/F動作表示、日付け・時刻表示、等がある。
【００３５】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００３６】
５６は電気的に消去・記録可能な不揮発性メモリであり、例えばEEPROM等が用いられる。
【００３７】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３８】
ここで、これらの操作手段の具体的な説明を行う。
【００３９】
６０はモードダイアルスイッチで、電源オフ、自動撮影モード、撮影モード、パノラマ撮影モード、再生モード、マルチ画面再生・消去モード、PC接続モード等の各機能モードを切り替え設定することが出来る。
【００４０】
６２はシャッタースイッチSW1で、シャッターボタンの操作途中（シャッターボタンの半押し）でONとなり、AF（オートフォーカス）処理、AE（自動露出）処理、AWB（オートホワイトバランス）処理、ＥＦ（フラッシュプリ発光）処理等の動作開始を指示する。
【００４１】
６４はシャッタースイッチSW2で、シャッターボタンの操作完了（シャッターボタンの全押し）でONとなり、撮像素子１２から読み出した信号をＡ／Ｄ変換器１６、メモリ制御回路２２を介してメモリ30に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００４２】
６６は画像表示ON/OFFスイッチで、画像表示部２８のON/OFFを設定することが出来る。
【００４３】
この機能により、光学ファインダー１０４を用いて撮影を行う際に、TFT LCD等から成る画像表示部への電流供給を遮断することにより、省電力を図ることが可能となる。
【００４４】
６８はクイックレビューON/OFFスイッチで、撮影直後に撮影した画像データを自動再生するクイックレビュー機能を設定する。なお、本実施例では特に、画像表示部２８をOFFとした場合におけるクイックレビュー機能の設定をする機能を備えるものとする。
【００４５】
７０は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン、画像削除ボタン、画像削除取消しボタン等がある。
【００４６】
８０は電源制御手段で、電池検出回路、DC-DCコンバータ、通電するブロックを切り替えるスイッチ回路等により構成されており、電池の装着の有無、電池の種類、電池残量の検出を行い、検出結果及びシステム制御回路５０の指示に基づいてDC-DCコンバータを制御し、必要な電圧を必要な期間、記録媒体を含む各部へ供給する。
【００４７】
８２はコネクタ、８４はコネクタ、８６はアルカリ電池やリチウム電池等の一次電池やNiCd電池やNiMH電池、Li電池等の二次電池、ACアダプター等からなる電源手段である。
【００４８】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００４９】
なお、本実施例では記録媒体を取り付けるインターフェース及びコネクタを2系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００５０】
インターフェース及びコネクタとしては、PCMCIAカード等の規格に準拠したものを用いて構成して構わない。
【００５１】
さらに、インタフェース９０及び９４、そしてコネクタ９２及び９６をPCMCIAカード等の規格に準拠したものを用いて構成した場合、LANカードやモデムカード、USBカード、IEEE1394カード、P1284カード、SCSIカード、PHS等の通信カード、等の各種通信カードを接続することにより、他のコンピュータやプリンタ等の周辺機器との間で画像データや画像データに付属した管理情報を転送し合うことが出来る。
【００５２】
１０２は、画像処理装置１００のレンズ１０を含む撮像部を覆う事により、撮像部の汚れや破損を防止するバリアである保護手段である。
【００５３】
１０４は光学ファインダであり、画像表示部２８による電子ファインダー機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００５４】
１１０は通信手段で、RS232CやUSB、IEEE1394、P1284、SCSI、モデム、LAN、無線通信、等の各種通信機能を有する。
【００５５】
１１２は通信手段１１０により画像処理装置１００を他の機器と接続するコネクタ或いは無線通信の場合はアンテナである。
【００５６】
２００はメモリカードやハードディスク等の記録媒体である。
【００５７】
記録媒体２００は、半導体メモリや磁気ディスク等から構成される記録部２０２、画像処理装置１００とのインタフェース２０４、画像処理装置１００と接続を行うコネクタ２０６を備えている。
【００５８】
２１０はメモリカードやハードディスク等の記録媒体である。
【００５９】
記録媒体２１０は、半導体メモリや磁気ディスク等から構成される記録部２１２、画像処理装置１００とのインタフェース２１４、画像処理装置１００と接続を行うコネクタ２１６を備えている。
【００６０】
図４は、本画像装置を適用した電子カメラの斜視図である。
【００６１】
2-1は電源ON/OFFのためのボタンである。2-2はモード切り替えレバーで、撮影モード、再生モード、動画撮影モード、静止画撮影モード等の各機能モードを切り替え設定することができる。2-3はシャッターボタンを示す。カメラの撮影画像は画像表示部に表示されるが、これは通常LCD（液晶ディスプレイ）を使用しているので、以下、LCDと称する。静止画像及び或るいは動画像の再生等のための画面もこのLCD ２-4に表示される。2-5はMENUボタンで、撮影パラメタやカメラの設定を変更するためのメニュー画面に出入りするためのボタンである。2-6はSETボタンで、メニューの決定等に使用する。2-7は削除ボタンで、画像の削除を指定することができる。2-8はＤＩＳＰボタンで、ＬＣＤ  2-4における表示の有り無しなどを切り替えるボタンである。2-9は十字ボタンで、この上下左右ボタンを使ってメニュー画面での項目の移動などを行ったり、再生モードでは左右ボタンを押して画像送りを行ったりするのに使用する。
【００６２】
次に本発明の撮像装置の動作を図１を用いて説明する。撮像装置のシャッタースイッチＳＷ１が押されると、101の測光部にて測光動作が行われる。測光動作はＣＣＤに露光された画面全体の平均輝度信号値Yと、その信号を露光した絞り値Av0およびシャッタースピードTv0を用いて求められる。
【００６３】
１０１の測光部にて求められた被写体輝度値Bv0および設定されている感度Sv0の値は１０２のＡＦプログラム線図へと送られ、ＡＦ動作を行うための絞り値Ａｖ１およびシャッタースピード値Ｔｖ１が求められる。Ａｖ１およびＴｖ１は１０３のＡｖＴｖ制御部へと送られ、撮像装置の絞りおよび電子シャッタースピードを設定する。ＡＦを行うための絞りおよび電子シャッタースピードが設定されると、１０４のＡＦ処理部にてＡＦ動作が行われている。このＡＦの動作についてはここでは詳述しないが、ピント位置を複数ステップ動かし、画像を露光し、露光した画像を周波数解析して、一番高周波成分の多いステップにピント位置を設定する。次に１０１の測光部にて求められた被写体輝度値Ｂｖ０と感度Ｓｖ０に基づき１０５のＣａｐｔｕｒｅプログラム線図にて本露光を行うための絞り値Ａｖ２とシャッタースピード値Ｔｖ２が決定される。Ａｖ２とＴｖ２が１０６のＡｖＴｖ制御部へと送られ絞り値をＡｖ２およびメカシャッタースピードＴｖ２が設定される。Ａｖ２およびＴｖ２が設定されると１０７のＣａｐｔｕｒｅ部にて本露光撮影が行われる。次に、１０７のＣａｐｕｔｒｅ部にて本露光して得られた画像データは１０８の画像処理部へと送られ画像処理が行われる。ここで、１０８の画像処理部で行われる画像処理について説明する。
【００６４】
図１の１０７のＣａｐｔｕｒｅ部にて本露光された画像データは図２の２０１のホワイトバランス処理部へとおくられ、画像中の白が白信号となるようなホワイトバラス係数および光源の色温度が求められる。ここではホワイトバランス係数の求め方について詳述しないが、一般的に行われている画像中の白が白信号になるようにホワイトバランス処理がおこなわれる。ホワイトバランス処理された画像データは、２０８の輝度信号処理部および、２０２の補間処理部へと送られる。２０２の補間処理部では図５に示されるような単板CCDの画素配列から、それぞれR、G1、G2、B位置の画素それぞれを用いて、補間演算よりR、G1、G2、B信号の面データを作成する。
【００６５】
２０３のマトリクス演算部では式(１)を用いて画素ごとに色変換が行われる。
【００６６】
【数１】
2007208913.tif 000003
マトリクス演算処理されたCCDデジタル信号は２０４の色差ゲイン演算処理部において色差信号にゲインがかけられる。演算は式（２）によりRm、Gm、Bm信号はY、Cr、Cb信号へと変換され、さらに式(３)によりCr、Cb信号にゲインがかけられ、式(４)（式(２)の逆行列演算）により、Rg、Gg、Bg信号へと変換される。
【００６７】
【数２】
2007208913.tif 000004
色差ゲイン演算処理されたCCDデジタル信号は２０５のガンマ処理部へと送られる。
【００６８】
以下の式を用いてデータ変換される。ただしGammaTableは1次元ルックアップテーブルである。
【００６９】
Rt = GammaTable[Rg]                    式（５）
Gt = GammaTable[Gg]                    式（６）
Bt = GammaTable[Bg]                    式（７）
ガンマ処理された画像データは２０６の色相補正演算処理部へと送られる。演算は式（８）によりRt、Gt、Bt信号はY、Cr、Cb信号へと変換され、さらに式（９）によりCr、Cb、信号が補正され、式（10）（式（８）の逆行列演算）により、Rg、Gg、Bg信号へと変換される。
【００７０】
【数３】
2007208913.tif 000005
色相補正演算処理された画像データは２０７の色差信号変換処理部へと送られる。
【００７１】
２０７の色差信号変換処理部においては式（１１）を用いて、ＵＶ信号が作成される。
【００７２】
【数４】
2007208913.tif 000006
一方、２０８の輝度信号処理部へと送られ画像データに基づき輝度信号が作成される。以下に輝度信号作成方法について説明する。
【００７３】
図５に示すような原色フィルタの場合の輝度信号はＲ、Ｂの信号をすべて０にして、図６に示す係数を持つ２次元フィルタ処理を施したものを輝度信号とする。さらに図５のような補色フィルタの場合の輝度信号はそのまま図６に示す係数を持つ２次元フィルタ処理を施したものを輝度信号とする。
【００７４】
２０９の輝度信号処理部は２０９の高域強調処理部にてエッジ強調処理され、さらに２１０のガンマ処理部２にてガンマ変換処理される。以上の様にＹ信号が作成される。
【００７５】
以上に示した式（１）に示したマトリクス演算、式（５）、（６）、（７）に示したガンマ処理、式（９）に示した行列演算、２０９の高域強調処理部にて行われるエッジ強調処理のパラメータをコントロールすることにより、一眼系デジタルカメラおよびレンズシャッター系デジタルカメラそれぞれに目標としている絵作りに設定している。
【００７６】
１０８の画像処理部にて輝度信号及び色差信号が作成されると、１０９の記録部にて画像データ信号は画像フォーマットデータへと変換されて記録媒体へと書き込まれる。本実施例における画像フォーマットはＪＰＥＧデータであり、そのヘッダー情報にはシャッタースピード、絞り値等の撮影情報、撮影モード情報、本実施例のポイントである基準データ変換情報等が書き込まれる。本実施例においては基準データ変換情報として３次元ルックアップテーブルデータが書き込まれる。この基準データ変換情報は、ＪＰＥＧの画像データを基準データ信号へ変更するための３次元ルックアップテーブルデータであり、ここの基準データとはレンズシャッター系デジタルカメラが出力する画像データのことを示す。すなわち一眼系デジタルカメラで撮影された画像データの中の基準データ変換情報は、ＹＵＶ信号をレンズシャッター系デジタルカメラの目標となる絵作りになるように変換する３次元ルックアップテーブルデータとなる。この３次元ルックアップテーブルの作成方法についてはここでは詳述しないが式（１）のマトリクス演算、式（５）、（６）、（７）のガンマ処理、式（９）の行列演算のパラメータの差より求めることが可能である。
【００７７】
次に本発明の印刷装置についての説明をする。
【００７８】
図７は本発明の昇華型印刷装置の実施例を示すブロック構成図であり、７０１はシステム制御を行うＣＰＵ、７０２は印字を行うヘッドの熱制御を行うヘッド制御部、７０３は印字を行う用紙の給紙等を行う紙送り制御部、７０４は用紙に昇華させて印字を行うためのインクリボンの送りを制御するインクリボン制御部、７０５は印刷するためのデータへと変換するための画像処理制御部、７０６は７１６のＩ／Ｆを介して接続される機器との通信を制御する通信制御部、７０７は７０８の電源から供給される電源をコントロールする電源制御部、７０９はプログラムおよび制御を行うためのシーケンスおよび設定等が記憶されているメモリ、７１０は７１４の外部記録媒体が印刷装置に差し込まれたかどうかを検地する記録媒体着脱検知部、７１１は画像データを記憶する画像メモリ、７１２は７１６のＩ／ＦによりＪＰＥＧファイルが送られてきたときに伸長する圧縮伸長処理部、７７１７はＪＰＥＧファイルのヘッダーに基準データ変換情報が含まれるかを解析する基準データ変換情報解析部である。
【００７９】
次に本発明の印刷装置における画像処理の流れを図８のブロック図を用いて説明する。
【００８０】
撮像装置と印刷装置が接続され、印刷装置にＪＰＥＧデータが送られてくると、８０１のＪＰＥＧ伸長部にてＪＰＥＧ圧縮されているデータが伸長されてＹＵＶ信号へと変換される。つぎにＪＰＥＧヘッダー領域内に基準データ変換情報が含まれているかが判別され、基準データ変換情報が含まれている場合には、８０３の基準データ変換部にて基準データへの変換が行われる。ここでの変換は３次元ルックアップテーブルと補間演算を用いて行われる。次に基準データへと変換された画像データは８０４のプリンタ色変換部にて色変換処理が行われる。ここでの処理は式（１２）のマトリクス演算および、式（１３）、（１４）、（１５）のルックアップテーブルにてＹＶＵ信号からプリントするためのＣＭＹ信号へと変換される。
【００８１】
【数５】
2007208913.tif 000007
Ｃ = PrinterGammaC[Ｒｐ]              式（１３）
Ｍ = PrinterGammaC[Ｇｐ]              式（１４）
Ｙ = PrinterGammaC[Ｂｐ]              式（１５）
次に８０６のシャープネス処理にてＣＭＹ信号にエッジ強調処理（ここでは詳述しないが、高域周波数を強調するフィルタ処理）によりエッジが強調され８０６にてＹ信号を印刷、８０７にてＭ信号を印刷、８０８にてＣ信号が印刷される。
【００８２】
ここで、８０３の基準データ変換の変換処理について詳しく説明する。
【００８３】
まずＪＰＥＧのヘッダーから３次元ルックアップテーブルデータが読み出される。このルックアップテーブルデータは９×９×９の７２９個の代表ＲＧＢ信号の基準データ変換後のＹＵＶ信号を出力するテーブルデータである。まず、ＪＰＥＧＹＵＶ信号は式（１６）にてＲＧＢ信号へと変換される。
【００８４】
【数６】
2007208913.tif 000008
式（１６）にて変換された信号は次に３次元ルックアップテーブルと補間演算にてＹＵＶ信号へと変換される。ここで入力するＲＧＢ信号のそれぞれの値をR、G、B、そのときの3次元ルックアップテーブル変換＋補間演算より出力されるＹＵＶ信号をY(R,G,B)、U(R,G,B)、V(R,G,B)、入力信号R、G、Bそれぞれの信号値より小さく、かつ一番近い値の代表格子点の信号をRi、Gi、Bi、代表格子点出力信号をYLut(Ri,Gi,Bi)、ULut(Ri,Gi,Bi)、VLut(Ri,Gi,Bi)、代表格子点のステップ幅をStepとする。
【００８５】
R、Ｇ、Ｂ信号を代表格子点とそこからの差分に分解する。
【００８６】
R = Ri + Rf              式(17)
G = Gi + Gf              式(18)
B = Bi + Bf              式(19)
Y(R,G,B) = YLut(Ri+Rf,Gi+Gf,Bi+Bf)
= (YLut (Ri,Gi,Bi)×(Step -Rf)×(Step -Gf)×(Step -Bf)
+ YLut (Ri+Step,Gi,Bi)×(Rf)×(Step -Gf)×(Step -Bf)
+ YLut (Ri,Gi+Step,Bi)×(Step-Rf)×(Gf)×(Step -Bf)
+ YLut (Ri,Gi,Bi+Step)×(Step-Rf)×(Step-Gf)×(Bf)
+ YLut (Ri+Step,Gi+Step,Bi)×(Rf)×(Gf)×(Step-Bf)
+ YLut (Ri+Step,Gi,Bi+Step)×(Rf)×(Step-Gf)×(Bf)
+ YLut (Ri,Gi+Step,Bi+Step)×(Step-Rf)×(Gf)×(Bf)
+ Ylut (Ri+Step,Gi+Step,Bi+Step)×(Rf)×(Gf)×
(Bf))/(Step×Step×Step)      式(20)
U(R,G,B) = ULut(Ri+Rf,Gi+Gf,Bi+Bf)
= (ULut (Ri,Gi,Bi)×(Step -Rf)×(Step -Gf)×(Step -Bf)
+ ULut (Ri+Step,Gi,Bi)×(Rf)×(Step -Gf)×(Step -Bf)
+ ULut (Ri,Gi+Step,Bi)×(Step-Rf)×(Gf)×(Step -Bf)
+ ULut (Ri,Gi,Bi+Step)×(Step-Rf)×(Step-Gf)×(Bf)
+ ULut (Ri+Step,Gi+Step,Bi)×(Rf)×(Gf)×(Step-Bf)
+ ULut (Ri+Step,Gi,Bi+Step)×(Rf)×(Step-Gf)×(Bf)
+ ULut (Ri,Gi+Step,Bi+Step)×(Step-Rf)×(Gf)×(Bf)
+ ULut (Ri+Step,Gi+Step,Bi+Step)×(Rf)×(Gf)×
(Bf))/(Step×Step×Step)      式(21)
V(R,G,B) = VLut(Ri+Rf,Gi+Gf,Bi+Bf)
= (VLut (Ri,Gi,Bi)×(Step -Rf)×(Step -Gf)×(Step -Bf)
+ VLut (Ri+Step,Gi,Bi)×(Rf)×(Step -Gf)×(Step -Bf)
+ VLut (Ri,Gi+Step,Bi)×(Step-Rf)×(Gf)×(Step -Bf)
+ VLut (Ri,Gi,Bi+Step)×(Step-Rf)×(Step-Gf)×(Bf)
+ VLut (Ri+Step,Gi+Step,Bi)×(Rf)×(Gf)×(Step-Bf)
+ VLut (Ri+Step,Gi,Bi+Step)×(Rf)×(Step-Gf)×(Bf)
+ VLut (Ri,Gi+Step,Bi+Step)×(Step-Rf)×(Gf)×(Bf)
+ VLut (Ri+Step,Gi+Step,Bi+Step)×(Rf)×(Gf)×
(Bf))/(Step×Step×Step)      式(22)
以上のような演算を用いて入力RGB信号を出力ＹＵＶ信号に変換する。
【００８７】
本実施例において、画像データを基準データへと変換するための変換処理に、３次元ルックアップテーブルと補間演算を用いたが、変換処理にマトリクス演算とルックアップテーブル変換を用いた処理で行うことも可能である。また本実施例においては、基準データへの変換は色につてのみ行ったが、一眼系デジタルカメラとレンズシャッター系デジタルカメラでのエッジ強調強度の違いを吸収する様に基準データ変換情報にエッジ強調の強度を指定するようにしてもよい。また本実施例においては、撮像装置と印刷装置がダイレクトに接続される実施系について述べたが、これに限られるものではなく、印刷装置に無線で撮像装置から画像データが送られる場合および、印刷装置に撮像装置から取り外した外部記憶装置を接続して、外部記憶装置から画像データを読み込む場合にも応用可能であることはいうまでもない。
【図面の簡単な説明】
【００８８】
【図１】本実施例における撮像装置の撮像シーケンスを説明するための図
【図２】本実施例における撮像装置の画像処理のブロック図
【図３】本実施例における撮像装置のブロック図
【図４】本実施例における撮像装置の外観図
【図５】本実施例における撮像装置の単版原色ＣＣＤの画素配列図
【図６】本実施例における撮像装置の輝度信号作成時に用いられるフィルタ特性図
【図７】本実施例における印刷装置のブロック図
【図８】本実施例における印刷装置の画像処理のブロック図
【図１】
2007208913.tif 000009
【図２】
2007208913.tif 000010
【図３】
2007208913.tif 000011
【図４】
2007208913.tif 000012
【図５】
2007208913.tif 000013
【図６】
2007208913.tif 000014
【図７】
2007208913.tif 000015
【図８】
2007208913.tif 000016